(57)【特許請求の範囲】
【請求項１】
被看視者に取り付けたテレメータ装置が、無線または有線を用いてホームゲートウェイに接続し、ホームゲートウェイは、公衆回線または専用線を用いてインターネット（ＩＰ網）を経由してデータセンタに接続するとともに、ホームゲートウェイにＴＶ電話装置が接続され、電話回線を通して緊急連絡先に設置されるＴＶ電話装置と通信が可能なシステムであって、
被看視者に取り付けた前記テレメータ装置は、
無線または有線を用いてホームゲートウェイへ緊急呼出信号を送信する手段を備え、
前記ホームゲートウェイは、
前記テレメータ装置より受信した緊急呼出信号に基づいて、電話回線を通じて、あらかじめ登録しておいた緊急連絡先電話番号に発信を行い、被看視者と緊急連絡先とのＴＶ電話による連絡を可能とする手段と、
前記緊急呼出信号を前記データセンタに送信する手段と、前記データセンタより指示された連絡先の電話番号に、電話回線を通じて発信を行い、被看視者と緊急連絡先とのＴＶ電話による連絡を可能とする手段と、
を備え、
前記データセンタは、
前記ホームゲートウェイより受信した被看視者からの緊急呼出信号を検知し、連絡先データベースより、予め登録された連絡先の電話番号を、前記ホームゲートウェイに送信する手段を備えた
ことを特徴とするシステム。
【請求項２】
前記ホームゲートウェイは、
前記緊急連絡先へ電話回線を用いて発信を行ったものの、一定時間内に応答がない場合または通話中により接続できない場合は、該当連絡先を通信不能と判断し、あらかじめ登録しておいた別の緊急連絡先電話番号に発信を行い、被看視者と緊急連絡先とのＴＶ電話による連絡を可能とする手段を備えたことを特徴とする請求項１記載のシステム。
【請求項３】
前記ホームゲートウェイは、
前記緊急連絡先へ電話回線を用いて発信を行ったものの、一定時間内に応答がない場合または通話中により接続できない場合は、該当連絡先を通信不能と判断し、前記データセンタに対し、緊急連絡先が接続不能である情報を送信する手段と、
前記データセンタより指示された別の連絡先の電話番号に電話回線を通じて発信を行い、被看視者と緊急連絡先とのＴＶ電話による連絡を可能とする手段と、
を備え、
前記データセンタは、
前記ホームゲートウェイより受信した緊急連絡先が接続不能である情報により、連絡先データベースより、予め登録された別の連絡先の電話番号を、前記ホームゲートウェイに送信する手段を備えた
ことを特徴とする請求項２記載のシステム。
【請求項４】
被看視者に取り付けたテレメータ装置が、無線または有線を用いてホームゲートウェイに接続し、ホームゲートウェイは、公衆回線または専用線を用いてインターネット（ＩＰ網）を経由してデータセンタに接続するとともに、ホームゲートウェイにＴＶ電話装置が接続され、電話回線を通して緊急連絡先に設置されるＴＶ電話装置と通信が可能な方法であって、
前記テレメータ装置から、無線または有線を用いてホームゲートウェイへ緊急呼出信号を送信し、
前記ホームゲートウェイでは、前記テレメータ装置より受信した緊急呼出信号に基づいて、電話回線を通じて、あらかじめ登録しておいた緊急連絡先電話番号に発信を行い、被看視者と緊急連絡先とのＴＶ電話による連絡を可能とし、
前記緊急呼出信号を受けた前記ホームゲートウェイは緊急呼出信号を前記データセンタに送信し、
前記データセンタでは、前記ホームゲートウェイより受信した被看視者からの緊急呼出信号を検知し、
前記データセンタでは、連絡先データベースより、予め登録された連絡先の電話番号を、前記ホームゲートウェイに送信し、
前記ホームゲートウェイでは、前記データセンタより指示された連絡先の電話番号に、電話回線を通じて発信を行い、被看視者と緊急連絡先とのＴＶ電話による連絡を可能とすることを特徴とする方法。
【請求項５】
前記ホームゲートウェイでは、前記緊急連絡先へ電話回線を用いて発信を行ったものの、一定時間内に応答がない場合および通話中により接続できない場合は、該当連絡先を通信不能と判断し、
前記ホームゲートウェアは、あらかじめ登録しておいた別の緊急連絡先電話番号に発信を行い、被看視者と緊急連絡先とのＴＶ電話による連絡を可能とすることを特徴とする請求項４記載の方法。
【請求項６】
前記ホームゲートウェイでは、前記緊急連絡先へ電話回線を用いて発信を行ったものの、一定時間内に応答がない場合および通話中により接続できない場合は、該当連絡先を通信不能と判断し、
前記ホームゲートウェイは、前記データセンタに対し、緊急連絡先が接続不能である情報を送信し、
前記データセンタでは、前記ホームゲートウェイより受信した緊急連絡先が接続不能である情報により、連絡先データベースより、予め登録された別の連絡先の電話番号を、前記ホームゲートウェイに送信し、
前記ホームゲートウェイでは、前記データセンタより指示された別の連絡先の電話番号に電話回線を通じて発信を行い、被看視者と緊急連絡先とのＴＶ電話による連絡を可能とすることを特徴とする請求項５記載の方法。
【発明の詳細な説明】
【０００１】
【発明の属する技術分野】
本発明は、インターネット（ＩＰ網）を介して被看視者の健康状態に関わる測定データなどの送受が行われるシステムと電話回線を用いた緊急連絡先へのＴＶ電話通話の自動接続を行うシステムによるヘルスチェックシステムおよび方法に関する。
【０００２】
【従来の技術】
遠隔に居住する被看視者のヘルスチェックを行う場合、データをホームゲートウェイなどの装置に一時保管しておき、公衆電話回線を用いたデータ通信でのデータ収集方式があるが、データセンタ側でのデータ収集は時間的に離散となるため、完全なリアルタイム処理とはならない。また、リアルタイム処理を行うためには、常に公衆電話回線を接続する必要があり、通信料金が高額となり実用的ではない。さらに、緊急時に被看視者が緊急ボタンを押すなどの動作により、緊急連絡先の医師や家族に対し、電話をかけ通話を行う場合にも相手の応答が有るかは保証されない。
【０００３】
【発明が解決しようとする課題】
本発明は、ＩＰ網を介したヘルスチェックシステムであり、被看視者の健康状態を常時看視し、平常時は収集データの分析から、医療機関などから諸注意事項を受け取り、緊急時には対処可能な者（救急隊、医師、家族など）に連絡が取れるように連絡先データベースより連絡先を通知するシステムを構成することを目的とする。また、緊急時に接続可能な連絡先を、ユーザ側で検索することなく、病院などのデータセンタで選択して呼び出すことで、ユーザ側が連絡先を探すなど意識しなくともよく、緊急時の処理としては優れる。また、病院等データセンタ側はＩＰ網を経由してデータを送受することで、電話回線を用いるための設備をユーザ数に応じて用意することなく設備を共用できるためコストが低く抑えられる。
【０００４】
【課題を解決するための手段】
本願において開示される発明のうち、代表的なものの概要を簡単に説明すれば、下記の通りである。
【０００５】
上記目的を達成するため本発明は、被看視者に取り付けたテレメータ装置などからのデータ受信機能、電話網およびインターネット（ＩＰ網）への接続機能、および病院等データセンタに接続する機能を持つホームゲートウェイを、専用線もしくは電話網に接続し、通信キャリア、ＩＳＰなどが提供するインターネット（ＩＰ網）常時接続サービスを用いることで、常時インターネット（ＩＰ網）への接続環境を用意し、ホームゲートウェイと病院等データセンタとをインターネット（ＩＰ網）を介して接続、通信を行い、被看視者の健康状態に関する測定データを病院等データセンタに転送し、医師等の診断もしくは医師等により設定された閥値を被看視者の健康に関する測定データが超えることにより、緊急対処の必要な場合、データセンタ側より指示を受けるか連絡先を、もしくはホームゲートウェイ自身に事前に登録された緊急連絡先に、ホームゲートウェイよりＴＶ電話通信を発信させることを可能とするシステムを構築する。
【０００６】
【発明の実施の形態】
以下、図面を参照して本発明の実施の形態を詳細に説明する。
図１に本発明の実施に係わるシステムの構成を示す。図１において、１はテレメータ装置であり被看視者に取り付けられている。２はホームゲートウェイであり、６はビデオカメラ（ＴＶ電話装置）である。これらは被看視者宅に設けられている。３は病院等のデータセンタであり、連絡先などのデータ４が保存されている。５は連絡先であり、ビデオカメラ（ＴＶ電話装置）７が設けられている。被看視者宅のホームゲートウェイ２と病院等のデータセンタ３は、電話回線、ＩＳＤＮ等の公衆回線または専用線を用いたＩＰ網常時接続サービスなどのインターネット（ＩＰ網）への常時接続を利用し、インターネット（ＩＰ網）を経由して接続されている。被看視者宅のホームゲートウェイ２と連絡先５は電話網で接続されている。
【０００７】
図２のシステムフロー図より動作を説明する。被看視者は、被看視者に取り付けられた、テレメータ装置１などを用いて健康に関する情報を収集し、測定値などをホームゲートウェイ２に送出する。ホームゲートウェイ２は、テレメータ装置１より受け取った健康に関する測定データを、インターネット（ＩＰ網）接続を介して、病院等のデータセンタ３に送信する。病院等のデータセンタ３などに送られた健康に関する測定データをもとに、医師等の診断を行う者によりデータを評価することで被看視者に対するヘルスチェックを行った後、診断結果および注意事項のメッセージなどを病院等のデータセンタ３からインターネット（ＩＰ網）を介して、ホームゲートウェイ２に送信し、被看視者に定期的に知らせる。
【０００８】
医師等の診断を行う者の診断もしくは医師等の診断を行う者により設定された閾値を被看視者の健康に関する測定データが超える（例えば、血糖値が上昇し閾値を超える、呼吸回数が閾値を超える、心電データの周波数変動幅が閾値を超えるなど）ことにより、緊急の対応の必要な場合は、ホームゲートウェイ２に緊急信号を送出し、ホームゲートウェイ２は、ホームゲートウェイ自身に登録された緊急連絡先電話番号を用いて、もしくは、病院等のデータセンタ３より連絡先データベース４に事前に登録された連絡可能な連絡先電話番号を受けて、自動的に緊急連絡先電話番号に発信し、被看視者と緊急連絡先５とのビデオカメラ６、７を用いてＴＶ電話通話を可能とする。
【０００９】
また、被看視者によるテレメータ装置１の操作（ボタンを押すなど）により、緊急呼出信号を受信したホームゲートウェイ２は、ホームゲートウェイ自身に登録された緊急連絡先電話番号を用いて、もしくは、病院等データセンタ３より連絡先データベース４に事前に登録された連絡可能な連絡先電話番号を受けて、自動的に緊急連絡先電話番号に発信し、被看視者と緊急連絡先５とのビデオカメラ６、７を用いたＴＶ電話通話を可能とする。
【００１０】
ホームゲートウェイ２が発信した緊急連絡先電話番号に対して通話が確保されない場合、ホームゲートウェイ２は、ホームゲートウェイ自身に登録された別の緊急連絡先電話番号を用いて、もしくは、病院等データセンタ３より連絡先データベース４に事前に登録された別の連絡可能な連絡先電話番号を再度受けて、自動的に緊急連絡先電話番号に発信し、被看視者と緊急連絡先５とのビデオカメラ６、７を用いたＴＶ電話通話を可能とする。
【００１１】
図３は本発明において使用されるホームゲートウェイ２の実施例の装置機能図である。１１はＩＳＤＮ通信制御部であり、ＩＳＤＮ回線を終端し、Ｄｃｈ、Ｂｃｈの通信制御を行う。１２はＰＰＰ終端部であり、インターネット（ＩＰ網）へ接続するためのポイント−ポイントの接続プロトコルを終端し制御する（ＩＳＰ等との接続制御）。１３はＴＣＰ／ＩＰ処理部であり、インターネット（ＩＰ網）を通じて、病院等のデータセンタに接続し、情報の送受を行う。１４はテレメータ装置接続部であり、テレメータ装置から情報を収集し、そのデータをインターネット（ＩＰ網）へ送信するためにパケット化する処理を行う。１５はＰＰＰ接続先情報データベースであり、電話網を介してインターネット（ＩＰ網）へＰＰＰ接続するための、ＩＳＰ等の電話番号、ユーザ認証情報を記録する。１６はヘルスチェックシステム制御部であり、緊急呼出信号により、緊急連絡先に接続するための制御を行う。また、病院等のデータセンタよりの診断情報を取出し、印刷する。１７は連絡先データベースであり、ホームゲートウェイ側に事前に緊急連絡先を登録する場合のデータベースである。１８はヘルスチェックシステムデータベースであり、病院等データセンタより送られてくる診断情報を蓄積する。１９はビデオカメラ接続部であり、ビデオカメラやＴＶ電話会議システムを接続し制御し、緊急連絡先に自動接続する機能を有する。
【００１２】
図３に示す本発明で使用されるホームゲートウェイ２の実施例の動作を説明する。テレメータ装置接続部１４は、テレメータ装置から健康に関する情報を収集し、その情報をインターネット（ＩＰ網）へ送信するためにパケット化する処理を行う。パケット化された情報は、ＴＣＰ／ＩＰ処理部１３を介してＰＰＰ終端部１２へ入力され、ＰＰＰ終端部１２がＰＰＰ接続先情報データベース１５に記録されたＩＳＰ等の電話番号、ユーザ認証情報を取得しＩＳＰ等との接続制御を行い、ＩＳＤＮ通信制御部１１から、インターネット（ＩＰ網）を通じて、病院等のデータセンタに送られる。
【００１３】
ホームゲートウェイ２は病院等のデータセンタからインターネット（ＩＰ網）を介して、診断結果、注意事項等の診断情報を受信すると、診断情報はＩＳＤＮ制御部１１、ＰＰＰ終端制御部１２、ＴＣＰ／ＩＰ処理部１３を介してヘルスチェックシステム制御部１６に入力され、ヘルスチェックシステム制御部１６は、診断情報をヘルスチェックシステムデータベース１８に蓄積し、また、蓄積されたデータを取出し印刷する。また、ヘルスチェックシステム制御部１６は、緊急の対応の必要な場合は、連絡先データベース１７に登録された緊急連絡先電話番号を用いて、もしくは、病院等のデータセンタより緊急連絡先電話番号を受けて、緊急連絡先に接続するための制御を行い、ビデオカメラ接続部１９がビデオカメラやＴＶ電話会議システムの接続制御を行い、また、緊急連絡先に自動接続を行う。
【００１４】
以上、本発明を、実施例に基づき具体的に説明したが、本発明は、前記実施例に限定されるものではなく、その要旨を逸脱しない範囲において種々変更可能であることは勿論である。たとえば、上記実施例においては、ホームゲートウェイ２、ビデオカメラ（ＴＶ電話装置）６は被看視者宅に設けられているが、データセンタから離れた場所で被看視者が居る場所であれば、どこに設けられていてもよいことは明らかである。
【００１５】
【発明の効果】
本願において開示される発明のうち代表的なものによって得られる効果を簡単に説明すれば、下記の通りである。
【００１６】
本発明によれば、他のサービス形態よりも利用者に対して廉価でサービス性の高いサービスを提供することができる。
【００１７】
さらに被看視者の健康状態を常時モニタリングできるので、体調の異常の早期発見、対応の迅速化とともに、日常の健康相談、医師からの注意事項の受け取り、遠隔診断など地域医療システムの構築が可能となる。
【図面の簡単な説明】
【図１】  本発明の実施に係わるシステムの構成を示す図である。
【図２】  本発明の実施に係わるシステムフローを示す図である。
【図３】  本発明において使用されるホームゲートウェイの実施例の装置機能図である。
【符号の説明】
１…テレメータ装置
２…ホームゲートウェイ
３…病院等データセンタ
４…連絡先データベース
５…緊急連絡先
６…ビデオカメラ（ＴＶ電話会議装置）：患者宅側
７…ビデオカメラ（ＴＶ電話会議装置）：緊急連絡先側
１１…ＩＳＤＮ通信制御部
１２…ＰＰＰ終端部
１３…ＴＣＰ／ＩＰ処理部
１４…テレメータ装置接続部
１５…ＰＰＰ接続先情報データベース
１６…ヘルスチックシステム制御部
１７…連絡先データベース
１８…ヘルスチェックシステムデータベース
１９…ビデオカメラ接続部
【図１】
0004244272.tif 000002
【図２】
0004244272.tif 000003
【図３】
0004244272.tif 000004